(57)【要約】    【課題】  バッテリーの交換時、プリンタへのバッテリー電源の供給を停止・中断することなくバッテリーの交換を可能にしたバッテリー搭載型プリンタ。【解決手段】  バッテリーパックＢ１を挿脱自在に収納するとともに、両端部が開口されたバッテリー収納部２と、バッテリー収納部の両端部に設けられ、バッテリー収納部の端部を開閉自在とすべく設けられた蓋部５９と、バッテリー収納部の一端部からバッテリーパックを挿入したとき、バッテリーパックの電極Ｄが接触する第１の電源入力端子５が設けられ、かつ、バッテリー収納部の他端部から新たなバッテリーパックＢ２を挿入したとき、新たなバッテリーパックの電極が接触する第２の電源入力端子６が設けられるとともに、バッテリー収納部の一端部と他端部の間において摺動自在に設けられた摺動電源入力端子部３と、を備える。【選択図】  図４
2014135164.tif 000002
【特許請求の範囲】
【請求項１】
バッテリーパックを収納して装置に直流電源を供給するバッテリー搭載型プリンタにおいて、
前記バッテリーパックを挿脱自在に収納するとともに、両端部が開口されたバッテリー収納部と、
前記バッテリー収納部の両端部に設けられるとともに、バッテリー収納部の端部を開閉自在とすべく設けられた蓋部と、
前記バッテリー収納部の一端部から前記バッテリーパックを挿入したとき、前記バッテリーパックの電極が接触する第１の電源入力端子が設けられ、かつ、前記バッテリー収納部の他端部から新たなバッテリーパックを挿入したとき、新たなバッテリーパックの電極が接触する第２の電源入力端子が設けられるとともに、前記バッテリー収納部の一端部と他端部の間において摺動自在に設けられた摺動電源入力端子部と、を備えることを特徴とするバッテリー搭載型プリンタ。
【請求項２】
前記バッテリー収納部には、前記摺動電源入力端子部、および１つのバッテリーパックが収納可能であることを特徴とする請求項１に記載のバッテリー搭載型プリンタ。
【請求項３】
前記第１および第２の電源入力端子は、各々電線を介して電源制御回路に接続されるとともに、第１および第２の電源入力端子にバッテリーパックの電極が接触したとき、第１および第２の電源入力端子間に電流が流れないよう、逆流防止機構が設けられていることを特徴とする請求項１に記載のバッテリー搭載型プリンタ。
【請求項４】
バッテリーパックを挿脱自在に収納するとともに、両端部が開口されたバッテリー収納部と、
前記バッテリー収納部の両端部に設けられるとともに、バッテリー収納部の端部を開閉自在とすべく設けられた蓋部と、
前記バッテリー収納部の一端部から前記バッテリーパックを挿入したとき、前記バッテリーパックの電極が接触する第１の電源入力端子が設けられ、かつ、前記バッテリー収納部の他端部から新たなバッテリーパックを挿入したとき、新たなバッテリーパックの電極が接触する第２の電源入力端子が設けられるとともに、前記バッテリー収納部の一端部と他端部の間において摺動自在に設けられた摺動電源入力端子部と、を備えたバッテリー交換方法であって、
前記バッテリー収納部の両端部の蓋部を開放し、バッテリー収納部の他端部より新たなバッテリーパックを挿入して前記第２の電源入力端子に新たなバッテリーパックの電極を接触させるとともに、新たなバッテリーパックの挿入により摺動電源入力端子部を一端部側に摺動させながら第１の電源入力端子も接触している電圧が低下した古いバッテリーパックをバッテリー収納部の一端部より外へ押し出して交換することを特徴とするバッテリー交換方法。
【発明の詳細な説明】
【技術分野】
【０００１】
本発明は、バッテリーパックからの給電を中断することなくバッテリー交換が可能なバッテリー搭載型プリンタおよびバッテリー交換方法に関する。
【背景技術】
【０００２】
従来、バッテリー（パック）から電力が供給されて動作するバッテリー搭載型プリンタが知られている（例えば、特許文献１参照）。
特許文献1のプリンタを図７により説明すると、プリンタの筐体は、本体筐体５１と、カバー５２とにより構成され、カバー５２は、回動軸５３によって、本体筐体５１に回動可能に取り付けられている。
本体筐体５１の内部に形成された用紙収納部には、ロール状に巻回された用紙５４が回転自在に保持されている。
また、本体筐体５１の内部には、用紙５４を搬送して印字を行うための印字手段として、サーマルヘッド５５と、プラテンローラ５６と、プラテンローラ５６を回転させる図示省略のステッピングモータと、が設けられている。
【０００３】
この種の携帯型のプリンタによれば、バッテリー収納部５７にバッテリー（図示省略）が収納され、振動によってバッテリー収納部５７からバッテリーが飛び出さないように、ロック部材５８によってバッテリーをロックすることが多い。さらに、バッテリー収納部５７を覆う蓋部５９を閉じることにより、プリンタ本体へのバッテリーの装着が完了する。
そして、プリンタ本体からバッテリーを取り出す際には、蓋部５９を開け、バッテリーをロックしているロック部材５８をロック状態から解除して、バッテリー収納部５７からバッテリーを引き出すようにしている。
【０００４】
ところで、（ラベル）プリンタでは、台紙に仮着されたラベルやタグなどの用紙（印字媒体）５４に印字を行うが、共通のフォーマットやロゴ等のグラフィックスなどの印字データ情報は予め送信し、ＲＡＭなどに記憶させて発行効率を最適に保つことが行われている。
また、複数のラベルにまたがるレイアウトでも一括し送信することで、発行効率を高めている。
【０００５】
しかしながら、バッテリー搭載型プリンタにおいては、バッテリーの残量が減り、交換が必要になった際、装置（プリンタ）の使用者は行っているラベルなどの用紙発行作業を中断してバッテリーを交換する必要があるが、交換を行うためにバッテリー収納部５７からバッテリーを取り出すとＲＡＭに記憶させた、先に送った印字データ情報が消えてしまうという問題がある。すなわち、共通のフォーマットやロゴ等のグラフィックスの再送や、連番印字途中でバッテリー切れが生じた場合、バッテリー交換後の印字再開では、どこまで（いくつのナンバー（番号）まで）印字発行したか確認の上、開始ナンバーおよび未発行枚数を入力する必要があるなど、作業が煩わしかった。
【先行技術文献】
【特許文献】
【０００６】
【特許文献１】特開２０１０−１７９４６１号公報
【発明の概要】
【発明が解決しようとする課題】
【０００７】
本発明は、上記の問題点に着目して成されたものであり、バッテリーの交換時、プリンタへのバッテリー電源の供給を中断することなくバッテリーの交換を可能にしたバッテリー搭載型プリンタおよびバッテリー交換方法を提供することを課題とする。
【課題を解決するための手段】
【０００８】
本発明に係るバッテリー搭載型プリンタは、バッテリーパックを収納して装置に直流電源を供給するバッテリー搭載型プリンタにおいて、前記バッテリーパックを挿脱自在に収納するとともに、両端部が開口されたバッテリー収納部と、前記バッテリー収納部の両端部に設けられるとともに、バッテリー収納部の端部を開閉自在とすべく設けられた蓋部と、前記バッテリー収納部の一端部から前記バッテリーパックを挿入したとき、前記バッテリーパックの電極が接触する第１の電源入力端子が設けられ、かつ、前記バッテリー収納部の他端部から新たなバッテリーパックを挿入したとき、新たなバッテリーパックの電極が接触する第２の電源入力端子が設けられるとともに、前記バッテリー収納部の一端部と他端部の間において摺動自在に設けられた摺動電源入力端子部と、を備えることを特徴とする。
【０００９】
また、バッテリー収納部には、摺動電源入力端子部、および１つのバッテリーパックが収納可能であるようにできる。
【００１０】
また、第１および第２の電源入力端子は、各々電線を介して電源制御回路に接続されるとともに、第１および第２の電源入力端子にバッテリーパックの電極が接触したとき、第１および第２の電源入力端子間に電流が流れないよう、逆流防止機構が設けられるようにできる。
【００１１】
さらに、第２の発明のバッテリー交換方法は、バッテリーパックを挿脱自在に収納するとともに、両端部が開口されたバッテリー収納部と、前記バッテリー収納部の両端部に設けられるとともに、バッテリー収納部の端部を開閉自在とすべく設けられた蓋部と、前記バッテリー収納部の一端部から前記バッテリーパックを挿入したとき、前記バッテリーパックの電極が接触する第１の電源入力端子が設けられ、かつ、前記バッテリー収納部の他端部から新たなバッテリーパックを挿入したとき、新たなバッテリーパックの電極が接触する第２の電源入力端子が設けられるとともに、前記バッテリー収納部の一端部と他端部の間において摺動自在に設けられた摺動電源入力端子部と、を備えたバッテリー交換方法であって、前記バッテリー収納部の両端部の蓋部を開放し、バッテリー収納部の他端部より新たなバッテリーパックを挿入して前記第２の電源入力端子に新たなバッテリーパックの電極を接触させるとともに、新たなバッテリーパックの挿入により摺動電源入力端子部を一端部側に摺動させながら第１の電源入力端子に接触している電圧が低下した古いバッテリーパックをバッテリー収納部の一端部より外へ押し出して交換することを特徴とする。
【発明の効果】
【００１２】
本発明のバッテリー搭載型プリンタは、バッテリーパックを挿脱自在に収納するとともに、両端部が開口されたバッテリー収納部と、バッテリー収納部の両端部に設けられるとともに、バッテリー収納部の端部を開閉自在とすべく設けられた蓋部と、バッテリー収納部の一端部からバッテリーパックを挿入したとき、バッテリーパックの電極が接触する第１の電源入力端子が設けられ、かつ、バッテリー収納部の他端部から新たなバッテリーパックを挿入したとき、新たなバッテリーパックの電極が接触する第２の電源入力端子が設けられるとともに、バッテリー収納部の一端部と他端部の間において摺動自在に設けられた摺動電源入力端子部と、を備えるようにしたので、新たなバッテリーパックの電極が第２の電源入力端子に接触しながら、バッテリー収納部の他端部より一端部に向けて摺動電源入力端子部を摺動するため、バッテリー電源の供給を中断することなくバッテリーパックの交換が可能となるという効果がある。
【００１３】
また、バッテリー収納部は、摺動電源入力端子部、および１つのバッテリーパックを収納可能とすれば、交換後の収納がコンパクトに収まる。
【００１４】
また、第１および第２の電源入力端子が、各々電線を介して電源制御回路に接続されるとともに、第１および第２の電源入力端子にバッテリーパックの電極が接触したとき、第１および第２の電源入力端子間に電流が流れないよう、逆流防止機構を設けるようにすれば、バッテリーパック交換時に電圧が低下した古いバッテリーパックに新しいバッテリーパックの電流が流れ込むことを防止できる。
【００１５】
さらに、第２の発明に係るバッテリー交換方法は、バッテリー収納部の両端部の蓋部を開放し、バッテリー収納部の他端部より新たなバッテリーパックを挿入して第２の電源入力端子に新たなバッテリーパックの電極を接触させるとともに、新たなバッテリーパックの挿入により摺動電源入力端子部を一端部側に摺動させながら第１の電源入力端子に接触している電圧が低下した古いバッテリーパックをバッテリー収納部の一端部より外へ押し出して交換するので、バッテリー電源の供給を中断することなくバッテリーパックの交換が可能となるという効果がある。
【図面の簡単な説明】
【００１６】
【図１】本発明に係るバッテリー搭載型プリンタのバッテリー収納部の概略拡大正面説明図である。
【図２】同、バッテリー搭載型プリンタで使用するバッテリーパックの概略斜視図である。
【図３】同、図１中、矢示ＩＩＩ方向より見た摺動電源入力端子部の概略拡大平面説明図である。
【図４】同、両端部の蓋部を開放した状態を示す、図１相当のバッテリー収納部の概略拡大正面説明図である。
【図５】同、新たなバッテリーパックを他端側から挿入した状態を示す、図１相当のバッテリー収納部の概略拡大正面説明図である。
【図６】同、新たなバッテリーパックに交換して蓋部を閉鎖した状態を示す、図１相当のバッテリー収納部の概略拡大正面説明図である。
【図７】従来のバッテリー搭載型プリンタを示す概略側面説明図である。
【発明を実施するための形態】
【００１７】
以下、本発明の一実施の形態につき、図１ないし図６に基づいて説明する。
なお、以下において、従来技術と同様と同様の部分は同一符号を付すに止め、詳説を省略する。
【００１８】
本発明のバッテリー搭載型プリンタ１は、本体筐体５１内に、バッテリー収納部２と、摺動電源入力端子部３と、制御回路部４と、蓋部５９と、を備える。
なお、図２は、本発明のバッテリー搭載型プリンタ１で使用するバッテリーパックＢの一例を示しており、陽極Ｄ１と陰極Ｄ２の電極Ｄが同一面に形成されている。
【００１９】
バッテリー収納部２は、本体筐体部５１の図における左右両端部からバッテリーパックＢ（Ｂ１．Ｂ２）が挿入・脱却可能なように開口部が形成されており、一端部の開口部から他端部の開口部の間が貫通された構成となっている。
そして、バッテリー収納部２に挿入されたバッテリーパックＢが飛び出さないよう、前記開口部を閉塞するとともに、取り出すときには開放可能とする、開閉自在な蓋部５９ａ、５９ｂが左右両端部に設けられている。
【００２０】
図３は、図１中、矢示ＩＩＩ方向より見た摺動電源入力端子部３の概略拡大平面説明図であり、摺動電源入力端子部３は、主に、第１の電源入力端子５と、第２の電源入力端子６とを備えており、バッテリー収納部２の幅方向Ｗ、すなわち、一端部と他端部の間において摺動自在に設けられている。
また、第１および第２の電源入力端子５、６には、後述する制御回路部４との間に電線７が設けられており、前記バッテリーパックＢの電極Ｄが接触して装着されると、電線７を介して直流電流が制御回路部４に供給されるようになっている。
【００２１】
制御回路部４は、バッテリーパックＢから供給される直流電流を制御するための回路であり、第１および第２の電源入力端子５、６間において電流が流れないよう、各電源入力端子５、６からの電線７の接続部位に、例えば、図示省略のダイオードを設けた「逆流防止機構」が形成されている。
【００２２】
次に、本発明のバッテリー搭載型プリンタ１におけるバッテリーパックＢの交換方法を説明する。
図１は、電圧が低下したバッテリーパックＢ１がバッテリー収納部２に収納されている状態を示しており、バッテリーパックＢ１の電極Ｄは、第１の電源入力端子５に接触して装着されている。
そして、バッテリーパックＢ１の電流は、第１の電源入力端子５、電線７を介して制御回路部４に供給され、制御回路部４にて電圧低下が検出されると、図示省略のブザーやランプ点灯、あるいは、表示部への表示など、既知の手段で使用者に報知される。
【００２３】
バッテリー低下を報知された使用者は、バッテリーの交換を判断する。
図４は、新しいバッテリーパックＢ２に交換するため、バッテリー収納部２の開口部を閉塞している左右両端部の蓋部５９ａ、５９ｂを開放した状態を示しており、新しいバッテリーパックＢ２を他端部（同図の例では、右端部）よりバッテリー収納部２へ挿入する。
【００２４】
図５は、バッテリー収納部２に新しいバッテリーパックＢ２を挿入しながら、摺動電源入力端子部３を一端部側へ摺動させた状態を示しており、電圧低下した古いバッテリーパックＢ１は、バッテリー収納部２に挿入された新しいバッテリーパックＢ２により他端部から押し出されるので、指等でつまんで取外す。
バッテリー収納部２に新しいバッテリーパックＢ２を挿入した際、電極Ｄが第２の電源入力端子７に接触し、電流が電線７を介して制御回路部４に流れるが、制御回路部４に図示省略の「逆流防止機構」が設けられているため、古いバッテリーパックＢ１への電流の逆流は防止されるものである。
【００２５】
図６は、新しいバッテリーパックＢ２に交換したあと、両端部の蓋部５９ａ、５９ｂにてバッテリー収納部２の開口部を閉鎖した状態を示しており、バッテリー収納部２には、新しいバッテリーパックＢ２と摺動電源入力端子部３が収納された状態となっている。
【００２６】
上述したように、バッテリー収納部２の両端部に設けられた蓋部５９ａ、５９ｂを開放し、バッテリー収納部２の一端部からバッテリーパックＢ１を挿入したとき、バッテリーパックＢ１の電極が第１の電源入力端子５に接触し、かつ、バッテリー収納部２の他端部から新たなバッテリーパックＢ２を挿入したとき、新たなバッテリーパックＢ２の電極が第２の電源入力端子６に接触しながら、バッテリー収納部の他端部より一端部に向けて摺動電源入力端子部３を摺動するので、バッテリー搭載型プリンタ１へのバッテリー電源の供給を中断することなくバッテリーパックの交換が可能となる。
【００２７】
なお、上記実施の形態の構成及び動作は例であって、本発明の趣旨を逸脱しない範囲で適宜変更することができることは言うまでもない。
【符号の説明】
【００２８】
Ｂ    バッテリーパック
Ｂ１  （電圧低下した）古いバッテリーパック
Ｂ２  新しいバッテリーパック
Ｗ    幅方向
１    バッテリー搭載型プリンタ
２    バッテリー収納部
３    移動電源入力端子部
４    制御回路部
５    第１の電源入力端子
６    第２の電源入力端子
７    電線
５１  本体筐体
５２  カバー
５３  回動軸
５４  用紙
５５  サーマルヘッド
５６  プラテン
５７  バッテリー収納部
５８  ロック部材
５９、５９ａ、５９ｂ  蓋部
【図１】
2014135164.tif 000003
【図２】
2014135164.tif 000004
【図３】
2014135164.tif 000005
【図４】
2014135164.tif 000006
【図５】
2014135164.tif 000007
【図６】
2014135164.tif 000008
【図７】
2014135164.tif 000009